(57)【要約】      （修正有）【課題】目覚まし時計手段などの報知手段の実行時にスヌーズ通知の間隔を任意に設定可能とし、報知手段の利便性を向上させることができる携帯電話端末及びその制御方法の提供。【解決手段】携帯電話端末１００の制御部１０１に、アラームを鳴動させたり、バイブレータを振動させたり、ランプを点灯／点滅させるなどの報知中のキーボード１０２のキー操作を監視し、所定のキーが操作された場合に、報知を一旦停止させると共に、所定のキーを判別し、所定のキーで特定される時間をスヌーズ通知のための時間としてタイマー部１０５に設定する機能を持たせ、簡単な操作で、再度、次の報知までの時間を任意に設定できるようにする。これにより、ユーザの使用状況に合わせて報知を実行することができ、目覚まし時計手段などの報知手段の利便性を向上させることができる。【選択図】図１
2007309809.tif 000002
【特許請求の範囲】
【請求項１】
予め設定された時間間隔で繰り返し報知を行うスヌーズ機能を備えた報知手段を有する携帯電話端末において、
報知中に所定のキーが操作された場合に、報知を一旦停止させると共に、前記所定のキーで特定される値を次の報知までの時間として設定する制御を行う制御部を少なくとも備えることを特徴とする携帯電話端末。
【請求項２】
予め設定された時間間隔で繰り返しアラームを鳴動させるスヌーズ機能を備えた目覚まし時計手段を有する携帯電話端末において、
アラームの鳴動中に所定のキーが操作された場合に、アラームの鳴動を一旦停止させると共に、前記所定のキーで特定される値を次回のアラーム鳴動までの時間として設定する制御を行う制御部を少なくとも備えることを特徴とする携帯電話端末。
【請求項３】
前記制御部は、前記所定キーが予め設定された回数操作された場合、又は、前記所定キーで特定される値が予め設定された範囲内の場合に、前記制御を行うことを特徴とする請求項１又は２に記載の携帯電話端末。
【請求項４】
予め設定された時間間隔で繰り返し報知を行うスヌーズ機能を備えた報知手段を有する携帯電話端末の制御方法であって、
報知中のキー操作を監視する第１のステップと、
所定のキーが操作された場合に、報知を一旦停止させる第２のステップと、
前記所定のキーで特定される値を次回の報知までの時間として設定する第３のステップと、を少なくとも有することを特徴とする携帯電話端末の制御方法。
【請求項５】
予め設定された時間間隔で繰り返しアラームを鳴動させるスヌーズ機能を備えた目覚まし時計手段を有する携帯電話端末の制御方法であって、
アラーム鳴動中のキー操作を監視する第１のステップと、
所定のキーが操作された場合に、アラームの鳴動を一旦停止させる第２のステップと、
前記所定のキーで特定される値を次回のアラーム鳴動までの時間として設定する第３のステップと、を少なくとも有することを特徴とする携帯電話端末の制御方法。
【請求項６】
前記第１のステップで、前記所定キーが予め設定された回数操作された場合、又は、前記所定キーで特定される値が予め設定された範囲内の場合に、前記第２のステップ及び前記第３のステップを実行することを特徴とする請求項４又は５に記載の携帯電話端末の制御方法。
【発明の詳細な説明】
【技術分野】
【０００１】
本発明は、携帯電話端末及びその制御方法に関し、特に、スヌーズ機能を備える携帯電話端末及び該携帯電話端末におけるスヌーズ機能の制御方法に関する。
【背景技術】
【０００２】
携帯電話端末等は、一般的に時計を内蔵しており、内蔵時計が計時する時刻が予め設定された時刻になったらアラームを鳴動させる目覚まし時計手段を有している。また、目覚まし時計手段に関して、アラーム鳴動中に何かしらのキーを押すことによってアラームの鳴動を一旦停止させることができ、更に、アラームの鳴動を止めても所定の時間間隔で繰り返しアラームを鳴動させることもできる。
【０００３】
上述した所定時間間隔で繰り返しアラームを鳴動させる機能はスヌーズ機能と呼ばれており、このスヌーズ機能に関して様々な技術が開示されている。例えば下記特許文献１には、アラーム設定時刻になるたびにスヌーズ画像データ領域から異なる表示イメージデータを選択して表示部に表示させ、何度目のアラームであるかを一見して容易に認識できるようにする携帯電話端末が開示されている。
【０００４】
【特許文献１】特開２００５−６９７９３号公報（第４−８頁、第８図）
【発明の開示】
【発明が解決しようとする課題】
【０００５】
上記スヌーズ機能を利用してアラームを鳴動させる場合、その時のユーザの状況によって、次のアラーム鳴動までの時間を長くしたり短くしたい場合がある。しかしながら、携帯電話端末の内蔵時計を利用した目覚まし時計手段などの報知手段において、従来のアラームのスヌーズ通知は、予め設定された一定の間隔（例えば５分間等）で行われ、報知手段の起動時においてスヌーズ通知の間隔の設定を変更することはできないため、報知手段の利便性が悪いという問題があった。
【０００６】
本発明は、上記問題点に鑑みてなされたものであって、その主たる目的は、目覚まし時計手段などの報知手段の実行時にスヌーズ通知の間隔を任意に設定可能とし、報知手段の利便性を向上させることができる携帯電話端末及びその制御方法を提供することにある。
【課題を解決するための手段】
【０００７】
上記目的を達成するため、本発明は、予め設定された時間間隔で繰り返し報知を行うスヌーズ機能を備えた報知手段を有する携帯電話端末において、報知中に所定のキーが操作された場合に、報知を一旦停止させると共に、前記所定のキーで特定される値を次の報知までの時間として設定する制御を行う制御部を少なくとも備えるものである。
【０００８】
また、本発明は、予め設定された時間間隔で繰り返しアラームを鳴動させるスヌーズ機能を備えた目覚まし時計手段を有する携帯電話端末において、アラームの鳴動中に所定のキーが操作された場合に、アラームの鳴動を一旦停止させると共に、前記所定のキーで特定される値を次回のアラーム鳴動までの時間として設定する制御を行う制御部を少なくとも備えるものである。
【０００９】
本発明においては、前記制御部は、前記所定キーが予め設定された回数操作された場合、又は、前記所定キーで特定される値が予め設定された範囲内の場合に、前記制御を行う構成とすることができる。
【００１０】
また、本発明は、予め設定された時間間隔で繰り返し報知を行うスヌーズ機能を備えた報知手段を有する携帯電話端末の制御方法であって、報知中のキー操作を監視する第１のステップと、所定のキーが操作された場合に、報知を一旦停止させる第２のステップと、前記所定のキーで特定される値を次回の報知までの時間として設定する第３のステップと、を少なくとも有するものである。
【００１１】
また、本発明は、予め設定された時間間隔で繰り返しアラームを鳴動させるスヌーズ機能を備えた目覚まし時計手段を有する携帯電話端末の制御方法であって、アラーム鳴動中のキー操作を監視する第１のステップと、所定のキーが操作された場合に、アラームの鳴動を一旦停止させる第２のステップと、前記所定のキーで特定される値を次回のアラーム鳴動までの時間として設定する第３のステップと、を少なくとも有するものである。
【００１２】
本発明においては、前記第１のステップで、前記所定キーが予め設定された回数操作された場合、又は、前記所定キーで特定される値が予め設定された範囲内の場合に、前記第２のステップ及び前記第３のステップを実行する構成とすることができる。
【００１３】
このように、本発明によれば、アラーム鳴動などの報知時に一旦報知を停止させるためのキー操作により、再度、報知を行うまでの時間を任意に設定変更することができるため、目覚まし時計手段などの報知手段の利便性を向上させることができる。
【発明の効果】
【００１４】
本発明の携帯電話端末及びその制御方法によれば、アラームを鳴動させたり、バイブレータを振動させたり、ランプを点灯／点滅させるなどのスヌーズ通知の間隔を任意に設定可能にし、これにより、目覚まし時計手段などの報知手段の利便性を向上させることができる。
【００１５】
その理由は、スヌーズ通知が可能な目覚まし時計手段などの報知手段を備えた携帯電話端末において、報知手段を利用して予め定めた時刻にアラームを鳴動させるなどの報知を行う際にキーボードからキー操作を監視し、所定のキーが操作された場合に、報知を一旦停止させると共に、所定のキーで特定される時間をタイマー部に設定して、次回の報知までの時間を変更する制御を行うため、ユーザが所望する時間に報知を行うことができるからである。
【発明を実施するための最良の形態】
【００１６】
従来技術で示したように、携帯電話端末には内蔵時計を利用した目覚まし時計手段などの報知手段が設けられており、この報知手段には予め定めた時間間隔で繰り返しアラームを鳴動させるスヌーズ機能が設けられているが、報知手段の起動時において、スヌーズ通知の間隔の設定を変更することはできず、設定を変更するためには報知手段を一旦終了させなければならないため、目覚まし時計手段などの報知手段の利便性が悪いという問題があった。
【００１７】
そこで、本発明では、制御部に、アラームを鳴動させたり、バイブレータを振動させたり、ランプを点灯／点滅させるなどの報知中に、キーボードのキー操作を監視し、所定のキーが操作された場合に、報知を一旦停止させると共に、所定のキーを判別し、所定のキーで特定される時間をスヌーズ通知のための時間間隔としてタイマー部に設定する機能を持たせ、簡単な操作で、再度、次の報知までの時間を任意に設定できるようにする。これにより、ユーザの使用状況に合わせて報知を実行することができ、目覚まし時計手段などの報知手段の利便性を向上させることができる。
【実施例】
【００１８】
上記した本発明の一実施の形態についてさらに詳細に説明すべく、本発明の一実施例に係る携帯電話端末及びその制御方法について、図１及び図２を参照して説明する。図１は、本実施例に係る携帯電話端末の主要な構成を示すブロック図であり、図２は、本実施例の携帯電話機を用いた制御の手順を示すフローチャート図である。
【００１９】
図１に示すように、本実施例の携帯電話端末１００は、携帯電話端末１００の各種制御を行う制御部１０１と、アラームを鳴動させるスピーカ１０２と、携帯電話端末１００の各種操作を行うためのキーボード１０３と、時刻を計時する内蔵時計１０４と、経過時間をカウントするタイマー部１０５と、携帯電話端末１００の各種情報を記憶するメモリ１０６とを有している。
【００２０】
なお、音声通話や電子メールの送受信などを行う無線通信部及びアンテナ、各種情報を表示する液晶ディスプレイや有機ＥＬ（electroluminescence）ディスプレイなどの表示部、カメラ機能部、ＴＶ放送受信部、ＲＦＩＤ（Radio Frequency Identification）機能部など、本発明に直接係わらない機能ブロックについての記載は省略している。
【００２１】
キーボード１０３は、数字キーや十字キー、特殊キーなどで構成され、数字キーなどを操作することによってスヌーズ通知の時間の設定を行う。なお、キーボード１０３の形態は任意であり、タッチパネルなどとしてもよい。
【００２２】
また、内蔵時計１０４は、目覚まし時計手段などの報知手段で予め設定された時刻に到達すると制御部１０１へ割り込み通知を行う。
【００２３】
また、タイマー部１０５は、スヌーズ通知の時間やキー入力の待ち時間などの予め設定された時間の計時を完了すると制御部１０１へ割り込み通知を行う。
【００２４】
また、メモリ１０６は、ＲＡＭ（Random Access Memory）などで構成され、スヌーズ通知の時間の初期値やアラームの鳴動時間、キー入力の待ち時間などを記憶する。
【００２５】
また、スピーカ１０２、キーボード１０３、内蔵時計１０４、タイマー部１０５、メモリ１０６は制御部１０１に接続されており、制御部１０１により制御される。
【００２６】
制御部１０１は、ＣＰＵ（Central Processing Unit）などで構成され、内蔵時計１０４からの割り込み通知に対して、スピーカ１０２からアラームを鳴動させ、予め設定され所定時間（アラームの鳴動時間やキー入力の待ち時間）内にキーボード１０３のキー操作を検出した場合に、アラームの鳴動を一旦停止させると共に、操作されたキーで特定される時間をタイマー部１０５に設定してタイマーを起動させ、タイマー部１０５からの割り込み通知に対して、スピーカ１０２から再度アラームを鳴動させる制御を行う。
【００２７】
次に、図１及び図２を参照して、本実施例の携帯電話端末１００の動作について詳細に説明する。
【００２８】
内蔵時計１０４は、現在の時刻と目覚まし時計手段などの報知手段で予め設定された時刻とを比較し、ステップＳ２０１で、現在の時刻が予め設定された時刻に到達したら制御部１０１に割り込み通知を行い、ステップＳ２０２で、制御部１０１は、スピーカ１０２からアラームを鳴動させる。
【００２９】
次に、制御部１０１は、キーボード１０３の所定のキー（例えば、数字キー）の操作を監視し、ステップＳ２０３で、所定時間内にキーボード１０３からキー入力が行われると、ステップＳ２０４で、アラームの鳴動を一旦停止させる。
【００３０】
そして、ステップＳ２０５で、制御部１０１は入力されたキーの判定を行い、ステップＳ２０６でスヌーズ機能が有効に設定されている場合は、ステップＳ２０７で入力されたキーで特定される時間（通常は分単位の時間）をタイマー部１０５に設定し、ステップＳ２０８でタイマーを起動させる。
【００３１】
ここで、ステップＳ２０３でキー入力が行われた場合に、そのキー入力がスヌーズ通知の時間を変更するための操作であるのか、他の操作（例えば、電話番号の入力）であるのかを判別できない場合が生じるが、例えば、目覚まし機能を解除するまでの間に数字キーが操作された場合はスヌーズ通知の時間を変更するための操作であると判断したり、予め定めた所定のキー（例えば終話キーなどの特殊キー）が操作された場合は、その後のキー入力がスヌーズ通知の時間を変更するための操作であると判断することによって上記問題を回避することができる。
【００３２】
また、ステップＳ２０５のキーの判定に際して、第１の数字が入力された後、時間をおいて第２の数字が入力された場合に、第１の数字のみで時間を設定するのか、第１の数字と第２の数字とで時間を設定するのかを判別できない場合が生じるが、所定の回数（例えば２回）のキー操作（例えば、１０分の場合は”１”と”０”、５分の場合は”０”と”５”など）が行われたらキーの判定を行うようにしたり、数字キーの後に所定のキー（例えば終話キーなどの特殊キー）が操作されたらキーの判定を行うようにすることにより、誤判定を防止することができる。
【００３３】
また、キー操作を誤って意図しない値を入力してしまう場合が考えられるが、例えば、予め入力される値の範囲（１〜３０分など）を設定しておき、キー判定の結果、入力された値が上記範囲から外れている場合に、時間の設定変更を無効としたり、入力された値を上記範囲の上限値又は下限値に設定することにより、誤入力による弊害を抑制することができる。
【００３４】
また、スヌーズ通知の時間を設定する方法として、数字キーを操作する代わりに、基準となる時間を表示部に表示し、十字キーなどで時間を増減させるようにしてもよいし、複数の設定時間を表示部に表示し、十字キーなどでその中から所望の時間を選択するようにしてもよい。
【００３５】
そして、ステップＳ２０９で、設定された時間の計時が完了し、タイマー部１０５が制御部１０１へ割り込み通知を行うと、Ｓ２０２に戻って、制御部１０１は再度スピーカ１０２からアラームを鳴動させる。一方、ステップＳ２０６で、スヌーズ機能が無効に設定されていれば、一連の処理を終了する。
【００３６】
また、ステップＳ２０２でスピーカ１０２からアラームを鳴動させた後、ステップＳ２１０で、キーボード１０３からキー入力が無いまま所定時間が経過すると、ステップＳ２１１で、制御部１０１はアラームの鳴動を停止し、ステップＳ２１２でスヌーズ機能が有効に設定されている場合は、ステップＳ２１３で、メモリ１０６に予め記憶されている初期値（例えば５分間等）をタイマー部１０５に設定し、ステップＳ２０８でタイマーを起動し、前記と同様の処理を繰り返す。一方、ステップＳ２１２でスヌーズ機能が無効に設定されていれば、一連の処理を終了する。
【００３７】
このように、本実施例の携帯電話端末１００では、制御部１０１は、予め設定された時刻にアラームを鳴動させた後、所定時間が経過するまでにキーボード１０３からキー入力が行われた場合に、アラームの鳴動を一旦停止させると共に、操作されたキーで特定される時間をタイマー部１０５に設定してスヌーズ通知の時間を変更する制御を行うため、ユーザが所望する任意の時間に再度アラームを鳴動させることができ、目覚まし時計手段の利便性を向上させることができる。
【００３８】
なお、上記実施例では、設定した時間にアラームを鳴動させる場合を示したが、報知方法はアラームに限定されず、音声を出力したり、バイブレータを振動させたり、ランプを点灯／点滅させたり、表示部に画面を表示させたり、これらの組み合わせることもできる。
【００３９】
また、上記実施例では、目覚ましアラームのスヌーズ通知の時間を設定する場合について記載したが、本発明は上記実施例に限定されるものではなく、スケジュール管理における報知間隔の設定などに対しても同様に適用することができる。
【産業上の利用可能性】
【００４０】
本発明は、携帯電話端末、ＰＨＳ（Personal Handyphone System）、ＰＤＡ（Personal Digital Assistance）等の携帯端末装置であって、内蔵時計を利用した目覚まし時計手段などの報知手段を有する装置に利用可能である。
【図面の簡単な説明】
【００４１】
【図１】本発明の一実施例に係る携帯電話端末の主要な構成を示すブロック図である。
【図２】本発明の一実施例に係る携帯電話端末を用いた制御の手順を示すフローチャート図である。
【符号の説明】
【００４２】
１００  携帯電話端末
１０１  制御部
１０２  スピーカ
１０３  キーボード
１０４  内蔵時計
１０５  タイマー部
１０６  メモリ
【図１】
2007309809.tif 000003
【図２】
2007309809.tif 000004